(57)【特許請求の範囲】
【請求項１】
複数の蓄電素子を並べてなる蓄電素子群に取り付けられる部材を保持する絶縁プロテクタと、前記絶縁プロテクタに被せつけられるカバーと、を備える配線モジュールであって、
前記カバーは複数のサブカバーを有する一方、前記絶縁プロテクタには前記サブカバーを係止する係止部が設けられ、
隣り合う２つの前記サブカバーは、一方のサブカバー、他方のサブカバーの順に前記絶縁プロテクタに被せつけられるようになっており、
前記他方のサブカバーには、前記一方のサブカバーの係止部を塞ぐ覆い部が形成されている配線モジュール。
【請求項２】
前記蓄電素子群に取り付けられる部材は前記蓄電素子と電気的に接続される導電部材であり、
隣り合う２つの前記サブカバーは前記絶縁プロテクタに対して重なり合った状態で被せつけられる請求項１に記載の配線モジュール。
【発明の詳細な説明】
【技術分野】
【０００１】
本発明は、配線モジュールに関する。
【背景技術】
【０００２】
電気自動車やハイブリッド車等における車両用の電池モジュールは、正極および負極の電極端子を有する単電池を複数個並べてなる単電池群を備える。単電池群において、隣り合う単電池の逆極性の電極端子間は、バスバーにより接続されており、これにより複数の単電池が電気的に接続されている。
【０００３】
ここで、電極端子間を接続するバスバーを、単電池の各電極端子間に一個ずつ位置決めして取り付けると、取付作業に時間がかかってしまうため、所定数のバスバーを、単電池の各電極端子間にまとめて位置決めできる電池配線モジュールが用いられている（例えば特許文献１を参照）。
【０００４】
電池配線モジュールは、バスバーを保持するバスバー保持部が設けられた樹脂製の樹脂プロテクタを備え、単電池群に載せられた状態で固定される。単電池には、バスバー以外に、単電池に接続される検知電線等も接続されることがあり、これらの部材を外部衝撃から保護したり、絶縁保護するために、樹脂プロテクタにはカバーが取り付けられることがある。
【先行技術文献】
【特許文献】
【０００５】
【特許文献１】特開２０１３−３７９８６号公報
【発明の概要】
【発明が解決しようとする課題】
【０００６】
樹脂プロテクタを覆うカバーから接続部材や検知電線等の部材が露出していると、充分に絶縁性を保てなくなり、外部衝撃からの保護も不十分となることが懸念されるため、特許文献１に記載されているように、カバーが複数のサブカバーから構成される場合には、隣り合う２枚のサブカバーの一部を重ねて用いることが考えられた。
【０００７】
しかしながら、隣り合う２枚のサブカバーを、樹脂プロテクタに対して順番を間違えて取り付けると、サブカバーが変形したり、２枚のサブカバーを重ねあわせた部分が膨らんで他の部材と干渉したり、振動等の影響を受けて樹脂プロテクタへの係止状態が解除されるおそれがあった。
【０００８】
本発明は上記のような事情に基づいて完成されたものであって、順番を誤ることなく取り付けることのできるカバーを備えた配線モジュールを提供することを目的とする。
【課題を解決するための手段】
【０００９】
本発明は、複数の蓄電素子を並べてなる蓄電素子群に取り付けられる部材を保持する絶縁プロテクタと、前記絶縁プロテクタに被せつけられるカバーと、を備える配線モジュールであって、前記カバーは複数のサブカバーを有する一方、前記絶縁プロテクタには前記サブカバーを係止する係止部が設けられ、隣り合う２つの前記サブカバーは、一方のサブカバー、他方のサブカバーの順に前記絶縁プロテクタに被せつけられるようになっており、前記他方のサブカバーには、前記一方のサブカバーの係止部を塞ぐ覆い部が形成されている配線モジュールである。
【００１０】
本発明においては、隣り合う２つのサブカバーは、一方のサブカバー、他方のサブカバーの順に絶縁プロテクタに被せつけるようになっており、他方のサブカバーには一方のサブカバーの係止部を塞ぐ覆い部が形成されている。従って、本発明において、他方のサブカバーを一方のサブカバーよりも先に絶縁プロテクタに被せつけると、他方のサブカバーに形成されている覆い部が一方のサブカバーの係止部を塞ぎ、一方のサブカバーを絶縁プロテクタに係止することができなくなるので、複数のサブカバーを順番を誤ることなく絶縁プロテクタに対して被せつけることができる。その結果、本発明によれば、順番を誤ることなく取り付けることのできるカバーを備えた配線モジュールを提供することができる。
【００１１】
本発明は以下の構成であってもよい。
前記蓄電素子群に取り付けられる部材は前記蓄電素子と電気的に接続される導電部材であり、隣り合う２つの前記サブカバーは前記絶縁プロテクタに対して重なり合った状態で被せつけられる構成であってもよい。
蓄電素子群に取り付けられるバスバーなどの導電部材は、外部衝撃から保護するだけでなく、絶縁性を保持する必要もある。そこで、上記のような構成とすると、隣り合う２つのサブカバーが重なり合った状態で被せつけられるので、導電部材の絶縁性を保持することができる。
【発明の効果】
【００１２】
本発明によれば、順番を誤ることなく取り付けることのできるカバーを備えた配線モジュールを提供することができる。
【図面の簡単な説明】
【００１３】
【図１】実施形態１の配線モジュールを取り付けた蓄電モジュールの平面図
【図２】カバーを開けた状態の配線モジュールの平面図
【図３】図１のＡ−Ａ線における一部断面図
【図４】順番を誤ってサブカバーを閉じようとしたときの配線モジュールの平面図
【図５】図４のＢ−Ｂ線における一部断面図
【図６】実施形態２の配線モジュールの一部平面図
【図７】カバーを開けた状態の配線モジュールの一部平面図
【図８】図６のＣ−Ｃ線における一部断面図
【図９】順番を誤ってサブカバーを閉じようとしたときの配線モジュールの一部平面図
【図１０】図９のＤ−Ｄ線における一部断面図
【発明を実施するための形態】
【００１４】
＜実施形態１＞
本発明の実施形態１を図１ないし図５によって説明する。
本実施形態の配線モジュール１０を蓄電素子群１１に取り付けてなる蓄電モジュールＭ１は、電気自動車やハイブリッド車等の車両用の駆動源として利用される。図面においては、複数の同一部材のうち一の部材にのみ符号を付し、他の同一部材については符号を省略する場合がある。以下の説明において、図３および図５における上側を上方とし下側を下方とする。
【００１５】
（蓄電素子群１１）
蓄電素子群１１は、複数個（本実施形態では６個）の蓄電素子１２から構成される。本実施形態の蓄電モジュールＭ１は、３個の蓄電素子１２を並べてなる蓄電素子群１１を２つ並べてなるものである。２つの蓄電素子群１１は、所定の間隔をあけて図１の左右方向に並べられている。
【００１６】
蓄電素子群１１を構成する蓄電素子１２は、それぞれ内部に蓄電要素（図示せず）を備えている。蓄電素子１２は、蓄電要素を内部に含む扁平な直方体状の本体部１２Ａと、この本体部１２Ａの上面に設けられた正極電極端子１３Ａおよび負極電極端子１３Ｂとを備える。各電極端子１３（１３Ａ，１３Ｂ）は、蓄電素子１２の本体部１２Ａの上面において、それぞれ上方に向けて垂直に突出した形をなしている。電極端子１３には固定用ボルトを受け入れるネジ孔１４が設けられている。
【００１７】
各蓄電素子群１１を構成する各蓄電素子１２は、各々の電極端子１３が同じ方向（上方）を向くように並べられており、隣り合う蓄電素子１２同士において、隣接する電極端子１３同士が互いに逆極性となるように並べられている。図１における左右において隣り合う蓄電素子１２の電極端子１３同士も、互いに逆極性となるように並べられている。
【００１８】
（配線モジュール１０）
本実施形態の配線モジュール１０は、複数の蓄電素子１２を並べてなる蓄電素子群１１に取り付けられるバスバー４０（蓄電素子群１１に取り付けられる部材の一例）を保持する絶縁プロテクタ２１と、絶縁プロテクタ２１に被せつけられるカバー２７と、を備える。
【００１９】
（バスバー４０）
バスバー４０は、銅、銅合金、ステンレス鋼（ＳＵＳ）、アルミニウム等の金属材料を所定形状に加工したものからなる。バスバー４０は、概ね長方形状をなしている。本実施形態の場合、バスバー４０として、長さが異なる２種類のものが利用される。２種類のバスバー４０のうち、長い方を第１バスバー４１とし、短い方を第２バスバー４２とする。
【００２０】
各バスバー４０には電極端子１３に対して固定するための固定用ボルトの軸部（図示せず）が挿通される通し孔４３が貫通して設けられている。バスバー４０に設けられている通し孔４３の形状は、上面から見て、所謂、長穴状となっており、電極端子１３のネジ孔１４よりも大きく設定されている。通し孔４３はバスバー４０の長手方向に拡がった形をなしているため、製造公差などにより、電極端子１３の位置がずれてしまっても、固定用ボルトを挿入できるように、その電極端子１３のネジ孔１４に対して位置合わせできるようになっている。
【００２１】
各バスバー４０は、隣り合う蓄電素子１２の逆極性の電極端子１３間を電気的に接続するように架け渡される。各バスバー４０によって、蓄電素子群１１を構成する各蓄電素子１２が、互いに直列接続される。第１バスバー４１は、２つの蓄電素子群１１の間において、隣り合う蓄電素子１２の電極端子１３間を、電気的に接続するために用いられる。第２バスバー４２は、各蓄電素子群１１において、図１における上下方向に隣り合う蓄電素子１２の電極端子１３間を電気的に接続するために用いられる。各バスバー４０は、絶縁プロテクタ２１に保持された状態で、用いられる。
【００２２】
（絶縁プロテクタ２１）
絶縁プロテクタ２１は、絶縁性を有する合成樹脂材料を、所定形状に加工したものからなる。絶縁プロテクタ２１は、図２に示すように左右に並んだ２つの連結ユニット２２Ａ，２２Ｂを連結してなる。図２における左側の連結ユニット２２Ａを第１連結ユニット２２Ａとし、右側の連結ユニット２２Ｂを第２連結ユニット２２Ｂとする。
【００２３】
各連結ユニット２２Ａ，２２Ｂには第２バスバー４２を保持する第２バスバー保持部３２が２つずつ設けられている、また、各連結ユニット２２Ａ，２２Ｂには、２つの連結ユニット２２Ａ，２２Ｂを連結することにより形成される第１バスバー４１を保持する第１バスバー保持部２３が設けられている。さらに各連結ユニット２２Ａ，２２Ｂの端部（図１における左右の端部）には外部機器と接続される外部接続部材（図示せず）を保持する外部接続部材保持部３４が設けられている。
【００２４】
第１バスバー保持部２３は、第１バスバー４１が載せられる底板部（図示せず）と、この底板部の周りを囲む角筒状の周壁部２４とを備えている。第１バスバー保持部２３において、底板部及び周壁部２４は、それぞれ第１連結ユニット２２Ａ側と、第２連結ユニット２２Ｂ側とに分かれている。底板部における長手方向の両端には、それぞれ開口部（図示せず）が設けられている。この開口部は、第１バスバー４１の端部を、電極端子１３と接触できるように第１バスバー保持部２３から露出させている。
【００２５】
第１バスバー保持部２３の周壁部２４は、第１バスバー４１の長手方向に沿って配される一対の側壁２４Ａ，２４Ｂと、第１バスバー４１の短手方向に沿って配される一対の側壁２４Ｃ，２４Ｄと、からなる。第１バスバー４１の長手方向に沿って配される一対の側壁２４Ａ，２４Ｂは第１連結ユニット２２Ａ側と第２連結ユニット２２Ｂ側とに分かれている。
【００２６】
第１バスバー保持部２３において、第１バスバー４１の長手方向に沿って配される一対の側壁２４Ａ，２４Ｂのうち、図２における手前側に配されている側壁２４Ａにはヒンジ２６を介してカバー２７が設けられている。
【００２７】
第１バスバー保持部２３において、第１バスバー４１の長手方向に沿って配される一対の側壁２４Ａ，２４Ｂのうち、図２における奥側に配されている側壁２４Ｂにはカバー２７を係止する係止孔２５（係止部の一例）が４つ設けられている。係止孔２５（２５Ａ，２５Ｂ，２５Ｃ，２５Ｄ）は第１連結ユニット２２Ａ側と第２連結ユニット２２Ｂ側に、それぞれ２つずつ設けられている。第１連結ユニット２２Ａ側の係止孔を２５Ａ，２５Ｂとし、第２連結ユニット２２Ｂ側の係止孔を２５Ｃ，２５Ｄとする。
【００２８】
第２バスバー保持部３２は、第２バスバー４２が載せられる底板部（図示せず）と、この底板部の周りを囲む角筒状の周壁部３３とを備えている。第２バスバー保持部３２において、底板部における長手方向の両端には、それぞれ開口部（図示せず）が設けられている。この開口部は、第２バスバー４２の端部を、電極端子１３と接触できるように第２バスバー保持部３２から露出させている。
【００２９】
外部接続部材保持部３４は外部接続部材と電極端子１３とが接触できるように開口しており、電極端子１３を取り囲むように周壁部３５が設けられている。
【００３０】
第１バスバー保持部２３の周壁部２４の内面側および第２バスバー保持部３２の周壁部３３の内面側には、各バスバー４１，４２がその厚み方向に浮き上がるのを規制する規制突部３１が複数個設けられている。
【００３１】
第１バスバー保持部２３、第２バスバー保持部３２、外部接続部材保持部３４において、周壁部２４，３３，３５の高さは、配線モジュール１０が蓄電素子群１１に取り付けられる際に、工具をバスバー４０および電極端子１３とを不要に接触させないように設定される。
【００３２】
（カバー２７）
本実施形態の配線モジュール１０は、絶縁プロテクタ２１の第１バスバー保持部２３の上に被せつけられるカバー２７を備える（絶縁プロテクタに被せつけられるカバーの一例）。
【００３３】
カバー２７は２つの（複数の）サブカバー２８，２９を有する。各サブカバー２８，２９には絶縁プロテクタ２１の係止孔２５に係止される係止突部３０が２つずつ設けられている。
【００３４】
第１バスバー保持部２３の長手方向の側壁２４Ａの上端からヒンジ２６を介して連なっている２つのサブカバー２８，２９のうち、第１連結ユニット２２Ａ側のサブカバーを第１サブカバー２８とし、第２連結ユニット２２Ｂ側のサブカバーを第２サブカバー２９とする。
【００３５】
第１サブカバー２８と第２サブカバー２９とは隣り合う位置に取り付けられており、第２サブカバー２９（一方のサブカバーの一例）、第１サブカバー２８（他方のサブカバーの一例）の順に絶縁プロテクタ２１に被せつけられるようになっている。隣り合う２つのサブカバー２８，２９は絶縁プロテクタ２１に対して一部が重なり合った状態で被せつけられる。具体的には第２サブカバー２９の左側の端部と第１サブカバー２８の覆い部２８Ａが重なりあう。
【００３６】
第１サブカバー２８には、第２サブカバー２９を係止するための係止孔２５Ｃ，２５Ｄのうち、第１サブカバー２８側の係止孔２５Ｃを塞ぐ覆い部２８Ａが形成されている。したがって、第１サブカバー２８を先に第１バスバー保持部２３（絶縁プロテクタ２１）に被せつけると、図５に示すように、第１サブカバー２８の覆い部２８Ａが、絶縁プロテクタ２１の係止孔２５Ｃの上に覆い重なる。この状態で、第２サブカバー２９をかぶせつけようとすると第２サブカバー２９の係止突部３０Ｃが第１サブカバー２８の上面と干渉し、第２サブカバー２９を絶縁プロテクタ２１に対して係止することができないようになっている。
【００３７】
（配線モジュール１０の取付方法）
本実施形態の蓄電モジュールＭ１は、蓄電素子群１１に配線モジュール１０を取り付け、その後、絶縁プロテクタ２１のカバー２７（２８，２９）を閉じることによって、組み立てられる。ここで、先ず、蓄電素子群１１に配線モジュール１０を取り付ける工程を説明する。
【００３８】
２つの連結ユニット２２Ａ，２２Ｂを連結して絶縁プロテクタ２１を作製する。第２バスバー保持部３２に第２バスバー４２を保持させ、連結ユニット２２Ａ，２２Ｂを連結することにより形成された第１バスバー保持部２３に第１バスバー４１を保持させて図２に示すような配線モジュール１０を作製する。
【００３９】
次に、左右方向に並べられた２つの蓄電素子群１１の上面に、配線モジュール１０を載せる。このとき、配線モジュール１０の各バスバー４０の各端部が、各蓄電素子群１１の各電極端子１３上にそれぞれ重ねられる。各バスバー４０は、蓄電素子群１１に複数個所ある対極同士の電極端子１３間に、それぞれ架け渡される。そして、バスバー４０の通し孔４３と、電極端子１３に設けられているネジ孔１４との位置合わせが行われる（図１参照）。互いに位置合わせされた通し孔４３とネジ孔１４に、固定用ボルト（不図示）の軸部を通しナットを螺着することにより、バスバー４０が電極端子１３に密着した状態で固定される。全てのバスバー４０を、固定用ボルトを用いて電極端子１３に固定することによって、蓄電素子群１１を構成する蓄電素子１２同士が互いに直列接続されると共に、配線モジュール１０が蓄電素子群１１に取り付けられる。
【００４０】
次に、絶縁プロテクタ２１にカバー２７を取り付ける。まず、第２サブカバー２９を第１バスバー保持部２３の上に被せつけて第２サブカバー２９の係止突部３０Ｃ，３０Ｄを絶縁プロテクタ２１の係止孔２５Ｃ，２５Ｄに嵌めこんだのち、第１サブカバー２８を第１バスバー保持部２３の上に被せつける。このとき、第２サブカバー２９の左側の端部と第１サブカバー２８の覆い部２８Ａとが重なりあうが、すでに第２サブカバー２９の係止突部３０Ｃ，３０Ｄは絶縁プロテクタ２１の係止孔２５Ｃ，２５Ｄに係止されているので第１サブカバー２８が第２サブカバー２９の取付作業に影響を与えることはない。次に第１サブカバー２８の各係止突部３０Ａ，３０Ｂを絶縁プロテクタ２１の各係止孔２５Ａ，２５Ｂに嵌めこみ係止させると図３に示すように第１サブカバー２８が係止された状態となる。これにより絶縁プロテクタ２１へのカバー２７の取り付け作業が完了する（図１参照）。
【００４１】
ここで２枚のサブカバー２８，２９の取付順を誤って、先に第１サブカバー２８を第１バスバー保持部２３の上に被せつけると、図５に示すように、第１サブカバー２８の覆い部２８Ａが第２サブカバー２９を係止するための係止孔２５Ｃの上に覆い重なる。この状態で、第２サブカバー２９を被せつけようとすると第２サブカバー２９の係止突部３０Ｃが第１サブカバー２８の上面と干渉し、第２サブカバー２９を絶縁プロテクタ２１に対して係止することができない。
【００４２】
（本実施形態の作用および効果）
本実施形態において、第１サブカバー２８を第２サブカバー２９よりも先に絶縁プロテクタ２１に被せつけると、第１サブカバー２８に形成されている覆い部２８Ａが第２サブカバー２９の係止孔２５Ｃを塞ぎ、第２サブカバー２９を絶縁プロテクタ２１に係止することができなくなるので、複数のサブカバー２８，２９を順番を誤ることなく絶縁プロテクタ２１に対して被せつけることができる。その結果、本実施形態によれば、順番を誤ることなく取り付けることのできるカバー２７を備えた配線モジュール１０を提供することができる。
【００４３】
ところで、蓄電素子群１１に取り付けられるバスバー４０などの導電部材は、外部衝撃から保護するだけでなく、絶縁性を保持する必要もある。本実施形態によればバスバー４０を覆う２つのサブカバー２８，２９が絶縁プロテクタ２１に対して重なり合った状態で被せつけられるので、バスバー４０の絶縁性を保持することができる。
【００４４】
＜実施形態２＞
次に、本発明の実施形態２を図６ないし図１０によって説明する。
本実施形態は、図６〜図１０に示すように、蓄電素子群１１に取り付けられる部材が電線６１である（導電部材の一例）点で実施形態１と相違する。実施形態１と同様の構成については同一の符号を付し重複した説明は省略する。
【００４５】
本実施形態の配線モジュール５０、電線６１を保持する絶縁プロテクタ５１を備える。絶縁プロテクタ５１において電線６１を保持する電線保持部５３は２つの連結ユニット５２Ａ，５２Ｂを連結することにより形成される（図６および図７を参照）。
【００４６】
電線保持部５３は、電線６１が載せられる底板５４Ｃと、この底板５４Ｃから起立した一対の側壁５４Ａ，５４Ｂとを備える。電線保持部５３において、底板５４Ｃ及び側壁５４Ａ，５４Ｂは、それぞれ第１連結ユニット５２Ａ側（図示左側）と、第２連結ユニット５２Ｂ側（図示右側）とに分かれている。
【００４７】
電線保持部５３の一対の側壁５４Ａ，５４Ｂのうち、図７における手前側に配されている側壁５４Ａにはヒンジ５６を介してカバー５７が設けられている。カバー５７は２つの（複数の）サブカバー５８，５９を有する。各サブカバー５８，５９には絶縁プロテクタ５１の係止孔５５に係止される係止突部６０が２つずつ設けられている。
【００４８】
電線保持部５３の一対の側壁５４Ａ，５４Ｂのうち、図７における奥側に配されている側壁５４Ｂにはカバー５７を係止する係止孔５５（５５Ａ，５５Ｂ，５５Ｃ，５５Ｄ）（係止部の一例）が４つ設けられている。第１連結ユニット５２Ａ側の係止孔を５５Ａ，５５Ｂとし、第２連結ユニット５２Ｂ側の係止孔を５５Ｃ，５５Ｄとする。
【００４９】
電線保持部５３の側壁５４Ａの上端からヒンジ５６を介して連なっている２つのサブカバー５８，５９のうち、第１連結ユニット５２Ａ側（左側）のサブカバーを第１サブカバー５８とし、第２連結ユニット５２Ｂ側（右側）のサブカバーを第２サブカバー５９とする（図７を参照）。
【００５０】
第１サブカバー５８と第２サブカバー５９とは隣り合う位置に取り付けられており、第２サブカバー５９（一方のサブカバーの一例）、第１サブカバー５８（他方のサブカバーの一例）の順に絶縁プロテクタ５１に被せつけられるようになっている。隣り合う２つのサブカバー５８，５９は絶縁プロテクタ５１に対して一部が重なり合った状態で被せつけられる。具体的には、第２サブカバー５９の左側の端部と第１サブカバー５８の覆い部５８Ａが重なりあう。
【００５１】
第１サブカバー５８には、第２サブカバー５９を係止するための係止孔５５Ｃ，５５Ｄのうち、第１サブカバー５８側の係止孔５５Ｃを塞ぐ覆い部５８Ａが形成されている。したがって２つのサブカバー５８，５９のうち第１サブカバー５８を先に電線保持部５３（絶縁プロテクタ５１）に被せつけると、図１０に示すように、第１サブカバー５８の覆い部５８Ａが第２サブカバー５９を係止するための係止孔５５Ｃの上に覆い重なる。この状態で、第２サブカバー５９をかぶせつけようとすると第２サブカバー５９の係止突部６０Ｃが第１サブカバー５８の上面と干渉し、第２サブカバー５９を絶縁プロテクタ５１に対して係止することができないようになっている。
【００５２】
本実施形態の作用および効果について説明する。
２つの連結ユニット２２Ａ，２２Ｂを連結して電線保持部５３を形成し、当該電線保持部５３に電線６１を配索して配線モジュール５０を組み立てておく。蓄電素子群１１の上に載置した絶縁プロテクタ５１にカバー５７を取り付ける。まず、第２サブカバー５９を電線保持部５３の上に被せつけて第２サブカバー５９の係止突部６０Ｃ，６０Ｄを絶縁プロテクタ５１の係止孔５５Ｃ，５５Ｄに嵌めこんだのち、第１サブカバー５８を電線保持部５３の上に被せつける。このとき、第２サブカバー５９の左側の端部と第１サブカバー５８の覆い部５８Ａが重なりあうが、すでに第２サブカバー５９の係止突部６０Ｃ，６０Ｄは絶縁プロテクタ５１の係止孔５５Ｃ，５５Ｄに係止されているので第１サブカバー５８が第２サブカバー５９の取付作業に影響を与えることはない。
【００５３】
次に第１サブカバー５８の各係止突部６０Ａ，６０Ｂを絶縁プロテクタ５１の各係止孔５５Ａ，５５Ｂに嵌めこみ係止させると図８に示すように第１サブカバー５８が係止された状態となる。これにより絶縁プロテクタ５１へのカバー５７の取り付け作業が完了する（図６参照）。
【００５４】
ここでサブカバー５８，５９の取付順を誤って、先に第１サブカバー５８を電線保持部５３の上に被せつけると、図１０に示すように、第１サブカバー５８の覆い部５８Ａが第２サブカバー５９を係止する２つの係止孔５５Ｃ，５５Ｄのうち左側の係止孔５５Ｃの上に覆い重なる。この状態で、第２サブカバー５９を被せつけようとすると第２サブカバー５９の係止突部６０Ｃが第１サブカバー５８の上面と干渉し、第２サブカバー５９を絶縁プロテクタ５１に対して係止することができないので、複数のサブカバー５８，５９を順番を誤ることなく絶縁プロテクタ５１に対して被せつけることができる。その結果、本実施形態によれば、順番を誤ることなく取り付けることのできるカバー５７を備えた配線モジュール５０を提供することができる。
【００５５】
ところで、蓄電素子群１１に取り付けられる部材が電線６１などの導電部材である場合には、外部衝撃から保護するだけでなく、絶縁性を保持する必要もある。本実施形態によれば電線６１を覆う２つのサブカバー５８，５９が絶縁プロテクタ５１に対して重なり合った状態で被せつけられるので、電線６１の絶縁性を保持することができる。
【００５６】
＜他の実施形態＞
本明細書で開示する技術は上記記述及び図面によって説明した実施形態に限定されるものではなく、例えば次のような実施形態であってもよい。
（１）上記実施形態では蓄電素子群１１に取り付けられる部材としてバスバー４０と電線６１の例を示したが、蓄電素子群に取り付けられる部材は、蓄電素子の状態を検知する検知端子やサーミスタ等であってもよい。
（２）上記実施形態では、絶縁プロテクタ２１の第１バスバー保持部２３を覆うカバー２７と、絶縁プロテクタ５１の電線保持部５３を覆うカバー５７の例を示したが、複数のサブカバーを有するカバーはこれに限定されない。
例えば、絶縁プロテクタ全体を覆うカバーを２以上のサブカバーにより構成してもよい。また、第２バスバー保持部を覆うカバーを２以上のサブカバーにより構成してもよい。なお、１つの配線モジュールにおいて、サブカバーの数は２つに限定されない。
（３）上記実施形態では１つのサブカバー２８，２９ごとに２つの係止孔２５を備える絶縁プロテクタ２１を示したが、係止孔の数は１つであってもよいし３以上であってもよい。また、サブカバーに係止孔を設けて絶縁プロテクタに係止突部を設けてもよい。
【符号の説明】
【００５７】
１０，５０…配線モジュール
１１…蓄電素子群
１２…蓄電素子
１３…電極端子
２１，５１…絶縁プロテクタ
２２Ａ，５２Ａ…第１連結ユニット
２２Ｂ，５２Ｂ…第２連結ユニット
２３…第１バスバー保持部
２５，５５…係止孔（係止部）
２５Ａ，２５Ｂ，２５Ｃ，２５Ｄ…係止孔（係止部）
２６，５６…ヒンジ
２７，５７…カバー
２８，５８…第１サブカバー（他方のサブカバー）
２８Ａ，５８Ａ…覆い部
２９，５９…第２サブカバー（一方のサブカバー）
３０，６０…係止突部
３０Ａ，３０Ｂ，３０Ｃ，３０Ａ…係止突部
４０…バスバー（導電部材）
４１…第１バスバー
４２…第２バスバー
４３…通し孔
５３…電線保持部
５５…係止孔
５５Ａ，５５Ｂ，５５Ｃ，５５Ｄ…係止孔（係止部）
６０…係止突部
６０Ａ，６０Ｂ，６０Ｃ，６０Ａ…係止突部
６１…電線（導電部材）
Ｍ１  蓄電モジュール
【図１】
0006264217.tif 000002
【図２】
0006264217.tif 000003
【図３】
0006264217.tif 000004
【図４】
0006264217.tif 000005
【図５】
0006264217.tif 000006
【図６】
0006264217.tif 000007
【図７】
0006264217.tif 000008
【図８】
0006264217.tif 000009
【図９】
0006264217.tif 000010
【図１０】
0006264217.tif 000011